(57)【要約】【課題】マニュアルサーチなどのスキャン動作や、スロー再生、倍速再生などの特殊再生動作から通常再生動作に移行する際に、短時間で正確にサブピクチャー信号を出力することができる光ディスク再生装置を提供する。【解決手段】指示部と、サブピクチャーデータからサブピクチャーユニットを生成するサブピクチャーユニット生成手段と、サブピクチャーユニットを記憶する記憶部と、記憶部が記憶したサブピクチャーユニットを再生する再生手段と、指示部の指示により特殊再生動作から通常再生動作に移行するとき、サブピクチャーユニットが記憶部に記憶されているか否かを検出し、サブピクチャーユニットが記憶されていないことを検出した場合、記録媒体に記録されているビデオデータの通常再生開始時点から予め設定した時間だけ遡った時点からサブピクチャーデータを読み出し、サブピクチャーユニットを生成させ記憶部に記憶させる制御をする制御部とを備える。【選択図】　　　図１
2004118980.tif 000002
【特許請求の範囲】
【請求項１】
ビデオデータ、該ビデオデータに関連するデータである複数のサブピクチャーデータを記録した記録媒体を再生する光ディスク再生装置において、
通常再生動作及び特殊再生動作を指示する指示部と、記録媒体に記録したサブピクチャーデータからサブピクチャーユニットを生成するサブピクチャーユニット生成手段と、前記サブピクチャーユニット生成手段が生成したサブピクチャーユニットを記憶する記憶部と、前記記憶部が記憶したサブピクチャーユニットをビデオデータと共に再生する再生手段と、前記指示部の指示により特殊再生動作から通常再生動作に移行するとき、ビデオデータの通常再生開始時点に対応するサブピクチャーユニットが前記記憶部に記憶されているか否かを検出し、当該サブピクチャーユニットが前記記憶部に記憶されていないことを検出した場合、記録媒体に記録されているビデオデータの通常再生開始時点から予め設定した時間だけ遡った時点からサブピクチャーデータを読み出し、前記サブピクチャーユニット生成手段にサブピクチャーユニットを生成させ前記記憶部に記憶させる制御をする制御部とを備えることを特徴とする光ディスク再生装置。
【請求項２】
請求項１記載の光ディスク再生装置において、前記通常再生開始時点から遡る時間を設定する設定部を備えることを特徴とする光ディスク再生装置。
【請求項３】
請求項１記載の光ディスク再生装置において、前記予め設定した時間は略３０秒であることを特徴とする光ディスク再生装置。
【発明の詳細な説明】
【０００１】
【発明の属する技術分野】
本発明はＤＶＤ（Ｄｉｇｉｔａｌ　Ｖｅｒｓａｔｉｌｅ　Ｄｉｓｃ）等を再生する光ディスク再生装置にかかり、特にマニュアルサーチなどのスキャン動作や、スロー再生、倍速再生などの特殊再生動作から通常再生動作に移行することのできる光ディスク再生装置に関する。
【０００２】
【従来の技術】
先ず、図３を用いて、ＤＶＤ上の物理的記録フォーマットについて説明する。図に示すように、ＤＶＤは、ディスクの最内周部に記録されたリードインエリア（ＬＩ）２、ディスクの最外周部に記録されたリードアウトエリア（ＬＯ）を有しており、その間に映像情報および音声情報が複数のビデオタイトルセット（ＶＴＳ）４（ＶＴＳ＃１からＶＴＳ＃ｎ）に分割されて記録されている。なお、ここでＶＴＳは関連する（仕様、属性が同じ）作品（タイトル）のまとまり（セット）を示す用語である。また、前記ＶＴＳ４が記録されている領域の先頭には、ビデオマネージャー（ＶＭＧ）３が記録される。ＶＭＧ３には、ＤＶＤに記録される映像情報および音声情報の全体に係わる情報が記録される。
【０００３】
また、一つのＶＴＳ４には、はじめにタイトル内の共通の制御情報が記録されているビデオタイトルセットインフォメーション（ＶＴＳＩ）５が記録され、その後に具体的な映像、音声などの再生データが記録される。すなわちメニュー用のビデオオブジェクトセット（ＶＯＢＳ）６、タイトル用のＶＯＢＳ７、およびバックアップ用のＶＴＳＩ８が記録される。なお、タイトル用のＶＯＢＳ７は最大９個までのビデオオブジェクト（ＶＯＢ）９からなる。
【０００４】
更に、一つのＶＯＢ９は、複数のセル（ＣＥＬＬ）１０により構成されている。
【０００５】
なお、ＣＥＬＬは通常再生の最小単位であり、ここでは、一つのＶＯＢ９は複数のＣＥＬＬ１０により構成されている。
【０００６】
また、一つのＣＥＬＬ１０は、複数のビデオオブジェクトユニット（ＶＯＢＵ）１１により構成されている。ここで、複数のビデオオブジェクトユニットＶＯＢＵ＃１〜ＶＯＢＵ＃ｎは、それぞれ例えばマルチシーン毎に分割された再生単位であり、それぞれのＶＯＢＵは、映像情報、音声情報および副映像情報（映画における字幕等の副映像）を含む情報単位である。
【０００７】
そして、一つのＶＯＢＵ１１は、ナビパック１２と、映像データが記録されたビデオパック１３と、音声が記録されたオーディオパック１４と、副映像（サブピクチャーデータ）が記録されたサブピクチャーパック１５とにより構成されている。
なお、ＤＶＤ規格により、ＤＶＤに記録可能な音声データは８チャンネルまで可能であり、副映像（サブピクチャーデータ）は３２種類まで可能である。また、ＤＶＤ規格により一つのＶＯＢＵ１１においてナビパック１２は必ずＤＶＤに記録データとして存在させなければならないが、ビデオパック１３、オーディオパック１４およびサブピクチャーパック１５は必ずしも存在しなくてもよく、存在する場合もその数や順序の設定は任意である。
【０００８】
このビデオパック１３、オーディオパック１４およびサブピクチャーパック１５の連なりをビットストリームといい、これらのパックの構造は国際規格であるＭＰＥＧ（Ｍｏｖｉｎｇ　Ｐｉｃｔｕｒｅ　Ｉｍａｇｅ　Ｃｏｄｉｎｇ　Ｅｘｐｅｒｔｓ　Ｇｒｏｕｐ）２方式に準拠している。
【０００９】
このＤＶＤから再生されたビットストリームは、前述の通りビデオパック１３，オーディオパック１４，サブピクチャーパック１５にて構成され、２０４８ｂｙｔｅを１パックとして時分割で多重化されている。
【００１０】
字幕画像表示のための単位がサブピクチャーユニットであり、最大３１のサブピクチャーパックから構成される。サブピクチャーユニットは、予め選択されたサブストリームＩＤを有するサブピクチャーパックを後述するサブピクチャーバッファーに蓄積し、１つのサブピクチャーユニットとしてから後述するサブピクチャーデコーダによってデコード処理を行うことによって生成される（例えば、特許文献１参照。）。
【００１１】
図４にサブピクチャーユニットの構成を示す。サブピクチャーユニットは、サブピクチャーユニットヘッダ（ＳＰＵＨ）２０、ピクセルデータ（ＰＸＤ）２１、サブピクチャーディスプレイシーケンスコントロールテーブル（ＳＰＤＣＳＱＴ）２２から構成される。また、前記各サブピクチャーパックは、パックヘッダ２４、パケットヘッダ２５、サブストリームＩＤ２６、サブピクチャーデータ２７から構成される。
【００１２】
ＳＰＵＨ２０は、４ｂｙｔｅの固定長からなり、このＳＰＵＨ２０は、サブピクチャーユニットのデータ容量を示すデータと、ＰＸＤ２１と、ＳＰＤＣＳＱＴ２２により生成されたサブピクチャーの表示を開始するスタートアドレスが入っている。ＰＸＤ２１は、各横方向ラインにおけるビットマップデータがランレングス圧縮されており、このランレングス圧縮を逆処理して伸張し、各画素の値を求める。
【００１３】
ＳＰＤＣＳＱＴ２２は、複数のサブピクチャーディスプレイコントロールシーケンス（ＳＰＤＣＳＱ）２３が後述するピックアップによってＤＶＤから読みとった順に並んでいる。一つのＳＰＤＣＳＱ２３は、次のＳＰＤＣＳＱ２３のスタートアドレス、ディスプレイコントロールコマンド、および該ディスプレイコントロールコマンドの実行時間が記述されている。
【００１４】
このサブピクチャーユニットは、サブピクチャーユニットのデータを表示するタイミングをビデオデータ、オーディオデータと同期をとるための時間情報であるプレゼンテーションタイムスタンプ（ＰＴＳ）が規定されており、このサブピクチャーユニットがデコード処理の基本単位となる。
【００１５】
図５は、従来の光ディスク再生装置の構成を示す図である。ＤＶＤ１に記録されたデータは、光ピックアップ３０にて読み出され、アンプ３１にて増幅され、イコライザ３２にて波形等化処理される。そしてＤＶＤ復調エラー訂正部３３にて復調処理および誤り訂正処理が行われて、ＭＰＥＧビットストリームとしてソースデコーダ４５に入力される。
【００１６】
ソースデコーダ４５は、デマルチプレクサ（ＤＥＭＵＸ）部３４にて、前記各パックに挿入されているストリームＩＤを判別し、ビデオデータ、オーディオデータ、サブピクチャーデータに分離し、ビデオデコーダ３８、サブピクチャーデコーダ３９、オーディオデコーダ４０の各デコード回路に分配する。サブピクチャーの処理は、ホストマイコン４４から指定されたサブストリームＩＤのパックを分離してメモり４２に書き込み、必要に応じてメモり４２から読み出してサブピクチャーデコーダ３９によりデコード処理する。
【００１７】
ユーザーが、最大３２言語の字幕および最大８言語の音声から任意の字幕および音声を選択するため、オーディオデコーダ４０、サブピクチャーデコーダ３９の各回路は、サブピクチャーパックに存在するサブストリームＩＤを識別信号として一つの字幕ストリームおよび音声ストリームを選択する。そしてビデオデコーダ３８により生成されたビデオデータとサブピクチャーデコーダ３９により生成されたサブピクチャーユニットとを、合成部４６により合成してＮＴＳＣ／ＰＡＬエンコーダ４７に出力する。なお、１枚のＤＶＤに複数のサブピクチャーストリームが記録されている場合、ユーザーが予め選択した以外のサブストリームＩＤのサブピクチャーパックはサブストリームＩＤを検出した際に不要データとして捨てられる。
【００１８】
ＮＴＳＣ／ＰＡＬエンコーダ４７では、ビデオデコーダ３８およびサブピクチャーデコーダ３９より生成されたビデオデータとサブピクチャーユニットをＮＴＳＣ映像信号またはＰＡＬ映像信号に変換して、映像信号出力端子より出力する。
【００１９】
オーディオデータは、ＭＰＥＧオーディオ、マルチチャンネルサラウンドオーディオ、リニアＰＣＭの中から選択されたビットストリームだけがＤ／Ａコンバータ４８に出力され、音声信号に変換されて音声信号出力端子より出力される。
【００２０】
ＤＶＤ再生装置は図示しない早送りボタンおよび早戻しボタンを備える。早送りボタンは操作により、通常よりも速い速度で再生させるためのボタンであり、早戻しボタンは、通常よりも速い速度で逆再生させるためのボタンである。
【００２１】
【特許文献１】
特開平１０−５１７４１号公報（第２−３頁、第２図）
【００２２】
【発明が解決しようとする課題】
ところで、前述のようにビデオデータ、オーディオデータおよびサブピクチャーデータが時分割で多重化されて記録されているＤＶＤを再生する場合、サブピクチャーデータの表示に関しては、サブピクチャーバッファー３６に未だ完全なサブピクチャーユニットとして蓄積されていないデータを、サブピクチャーデコーダ３９によりデコード処理すると正確な表示を得ることはできない。
【００２３】
例えば、サブピクチャーで作成した字幕を含む映画の場合、サブピクチャーユニットには映画の１シーンの先頭に表示するためのスタートアドレスと字幕を表示する時間が設定されている。また、ある場面で映画字幕として表示されているサブピクチャーはその場面の先頭またはそれよりも前の時点で、多重化してＤＶＤに記録しているサブピクチャーパックをサブピクチャーバッファー３６に蓄積し、１つのサブピクチャーユニットとしてサブピクチャーデコーダ３９によりデコード処理を完了していることが必要である。
【００２４】
このため、ＤＶＤ再生装置でたとえば早送りボタンおよび早戻しボタンによる早送り、早戻しの動作から、早送りボタンおよび早戻しボタン操作の解除により通常再生に動作が移る場合、ほとんどの場合、その再生場面の先頭またはそれよりも前に多重化されているサブピクチャーパックは、１のサブピクチャーユニットとしてサブピクチャーバッファー３６に蓄積されていない。このため通常再生の動作となった直後のシーンでは字幕すなわちサブピクチャーが画像として正確に表示されない事象が発生する。このように字幕が表示されない現象はＶＴＲやレーザーディスクなどには発生しないため、ユーザーにとって不快に感じることもある。なお、前記の場合の字幕表示は１つのサブピクチャーユニットがサブピクチャーバッファーに蓄積された後の、ビデオ、音声および字幕が同期した時点から正確に行われることになる。
【００２５】
本発明は前記問題点に鑑みてなされたもので、マニュアルサーチなどのスキャン動作や、スロー再生、倍速再生などの特殊再生動作から通常再生動作に移行する際に、短時間で正確にサブピクチャー信号を出力することができる光ディスク再生装置を提供することを目的とする。
【００２６】
【課題を解決するための手段】
本願の請求項１記載の発明は、ビデオデータ、該ビデオデータに関連するデータである複数のサブピクチャーデータを記録した記録媒体を再生する光ディスク再生装置において、通常再生動作及び特殊再生動作を指示する指示部と、記録媒体に記録したサブピクチャーデータからサブピクチャーユニットを生成するサブピクチャーユニット生成手段と、前記サブピクチャーユニット生成手段が生成したサブピクチャーユニットを記憶する記憶部と、前記記憶部が記憶したサブピクチャーユニットをビデオデータと共に再生する再生手段と、前記指示部の指示により特殊再生動作から通常再生動作に移行するとき、ビデオデータの通常再生開始時点に対応するサブピクチャーユニットが前記記憶部に記憶されているか否かを検出し、当該サブピクチャーユニットが前記記憶部に記憶されていないことを検出した場合、記録媒体に記録されているビデオデータの通常再生開始時点から予め設定した時間だけ遡った時点からサブピクチャーデータを読み出し、前記サブピクチャーユニット生成手段にサブピクチャーユニットを生成させ前記記憶部に記憶させる制御をする制御部とを備えることを特徴とする。
【００２７】
本願の請求項２記載の発明は、請求項１記載の光ディスク再生装置において、前記通常再生開始時点から遡る時間を設定する設定部を備えることを特徴とする。
【００２８】
本願の請求項３記載の発明は、請求項１記載の光ディスク再生装置において、前記予め設定した時間は略３０秒であることを特徴とする。
【００２９】
【発明の実施の形態】
本発明の実施の形態を図面を参照して説明する。なお、従来技術で示した構成と同一の構成については同符号を用いて説明する。
図１は本発明の一実施例の光ディスク再生装置を示す図である。
【００３０】
ＤＶＤ１に記録されたデータは、光ピックアップ３０にて読み出され、アンプ３１にて増幅され、イコライザ３２にて波形等化処理される。そしてＤＶＤ復調エラー訂正部３３にて復調処理および誤り訂正処理が行われて、ＭＰＥＧビットストリームとしてソースデコーダ４５に入力される。
【００３１】
ソースデコーダ４５は、デマルチプレクサ（ＤＥＭＵＸ）部３４にて、各パックに挿入されているストリームＩＤを判別し、ビデオデータ、オーディオデータ、サブピクチャーデータに分離し、ビデオデコーダ３８、サブピクチャーデコーダ３９、オーディオデコーダ４０の各デコード回路に分配する。サブピクチャーの処理は、ホストマイコン４４が指定したサブストリームＩＤのパックを分離して取り出してメモリ４２に書き込み、必要に応じてメモリ４２から読み出してサブピクチャーデコーダ３４によりデコード処理する。
【００３２】
ユーザーは、操作部５０を操作して最大３２言語の字幕および最大８言語の音声の中から任意の字幕および音声を選択する。オーディオデコーダ４０、サブピクチャーデコーダ３９の各回路は、サブピクチャーパックに存在するサブストリームＩＤを識別信号としてユーザーが選択した一つの字幕ストリームおよび音声ストリームを選択する。そしてビデオデコーダ３８により生成されたビデオデータとサブピクチャーデコーダ３９により生成されたサブピクチャーユニットとを合成部４６により合成し、ＮＴＳＣ／ＰＡＬエンコーダ４７に出力する。
【００３３】
サブピクチャー記憶部５３は、サブピクチャーデコーダ３９により生成されたサブピクチャーユニットを記憶する。
【００３４】
１枚のＤＶＤに、複数のサブピクチャーストリームが記録されている場合、ユーザーが操作部５０により選択したサブストリームＩＤ以外のサブストリームＩＤのサブピクチャーパックは、サブストリームＩＤを検出した際に不要データとして捨てられる。
【００３５】
ＮＴＳＣ／ＰＡＬエンコーダ４７は、ビデオデコーダ３８およびサブピクチャーデコーダ３９により生成されたビデオデータとサブピクチャーユニットをＮＴＳＣ映像信号またはＰＡＬ映像信号に変換し、図示しない映像信号出力端子より出力する。
【００３６】
オーディオデータは、ＭＰＥＧオーディオ、ドルビーＡＣ−３、リニアＰＣＭの中から選択したビットストリームだけをＤ／Ａコンバータ４８に出力し、Ｄ／Ａコンバータ４８により音声信号に変換して音声信号出力端子より出力する。
【００３７】
操作部５０は、通常の再生より早い速度で再生を行う早送り再生および早い速度で逆再生を行う早戻し再生を指示するマニュアルサーチ指示信号をホストマイコン４４へ出力する。ホストマイコン４４は、操作部５０からの指示信号に基づいて、図示しない駆動制御部を介してＤＶＤ１に記録されているデータを読み出すよう制御する。
なお、前記駆動制御部は、ホストマイコン４４の制御により光ピックアップ３０および図示しないＤＶＤ回転駆動部を制御してＤＶＤｌからデータを読み出すよう制御する。
【００３８】
更に、ホストマイコン４４は操作部５０からのマニュアルサーチ指示信号の出力が終了すると、サブピクチャー制御部５２からの再生開始の指示信号が出力されるまで再生を一時停止する。また、サブピクチャー制御部５２は、マイコンからなり、ホストマイコン４４を介して操作部５０からのマニュアルサーチ指示信号の出力が終了したことを検出したとき、ホストマイコン４４が再生を開始しようとする時点（再生開始時点）に対応するサブピクチャーユニットがサブピクチャー記憶部５３に記憶されているか否かを検出する。サブピクチャー制御部５２は、再生開始時点に対応するサブピクチャーユニットがサブピクチャー記憶部５３に記憶されていると検出した場合は、サブピクチャーデコーダ３９によってサブピクチャー記憶部５３に記憶したサブピクチャーユニットを出力するよう制御する。
【００３９】
サブピクチャー制御部５２は、再生開始時点に対応するサブピクチャーユニットがサブピクチャー記憶部５３に記憶されていないと検出した場合は、ホストマイコン４４が再生を開始しようとする時点（再生開始時点）から予め定めた時間、例えば３０秒前までのサブピクチャーデータをＤＶＤ１から読み出すよう駆動制御部を制御する。
【００４０】
サブピクチャー記憶部５３は、サブピクチャー制御部５２の制御により、ＤＶＤｌから読み出した再生開始時点から３０秒前までのサブピクチャーデータを記憶する。さらに、サブピクチャー制御部５２は、サブピクチャー記憶部５３に記憶したデータをサブピクチャーデコーダ３９でデコード処理するよう制御する。このとき、サブピクチャー制御部５２は、サブピクチャーデコーダ３９によりサブピクチヤーユニットが生成されるか否かを判別し、生成された場合は、サブピクチャーデコーダ３９によってデコード処理したサブピクチャーユニットを出力するよう制御する。
【００４１】
次に、図２に示すフローチャートを用い、サブピクチャーを表示する表示動作の一例について説明する。
【００４２】
まず、操作部５０によるマニュアルサーチが終了（ステップＳ１）すると、サブピクチャー制御部５２からの再生開始の指示信号が出力されるまで再生を一時停止し、再生を開始しようとする時点（再生開始時点）を検出する（ステップＳ２）。
サブピクチャー制御部５２は、再生開始時点に対応するサブピクチャーユニットがサブピクチャー記憶部５３に記憶されているか否かを検出する（ステップＳ３）。
【００４３】
サブピクチャーユニットが記憶されていることを検出した場合（ＹＥＳ）は、ステップＳ７へ移行する。
当該サブピクチャーユニットが記憶されていないことを検出した場合（ＮＯ）、サブピクチャー制御部５２は、再生開始時点から３０秒前までのサブピクチャーデータをＤＶＤ１より読み出し、読み出したサブピクチャーデータをサブピクチャー記憶部５３へ記憶する（ステップＳ４）。
【００４４】
次に、サブピクチャー制御部５２は、サブピクチャーデコーダ３９によりサブピクチャー記憶部５３に記憶したサブピクチャーデータのデコード処理を開始し（ステップＳ５）、１つのサブピクチャーユニットが完全に蓄積されたか否かを判別する（ステップＳ６）。
【００４５】
蓄積されていると判別した場合（ＹＥＳ）は、そのサブピクチャーユニットＵの表示データを表示する表示開始時刻と表示時間を検出する（ステップＳ７）。
【００４６】
次に、サブピクチャー制御部５２は、サブピクチャーユニットＵの表示開始時刻が過ぎているか否かを判別し（ステップＳ８）、時刻が過ぎていると判別した場合（ＹＥＳ）は、サブピクチャーユニットＵの表示終了時刻が過ぎているか否かを判別する（ステップＳ９）。
【００４７】
表示終了時刻を過ぎていないと判別した場合（ＮＯ）、サブピクチャー制御部５２は、ホストマイコン４４に、ビデオデータ、サブピクチャーユニットおよびオーディオデータの出力を開始するよう制御する。このときホストマイコン４４は、ビデオデコーダ３８によりデコード処理されたビデオデータ、サブピクチャーデコーダ３９によりデコード処理されたサブピクチャーユニット、およびオーディオデコーダ４０によりデコード処理されたオーディオデータの出力を開始する。
合成部４６は、ビデオデコーダ３８から出力されたビデオデータとサブピクチャーデコーダ３９から出力されたサブピクチャーユニットを合成し、ＮＴＳＣ／ＰＡＬエンコーダ４７に出力する。ＮＴＳＣ／ＰＡＬエンコーダ４７は、ビデオデコーダ３８から出力されたビデオデータおよびサブピクチヤーデコーダ３９から出力されたサブピクチャーユニットをＮＴＳＣ映像信号またはＰＡＬ映像信号に変換し、図示しない映像信号出力端子から出力する（ステップＳ１１）。前記ステップＳ８で表示終了時刻を過ぎていると判別した場合（ＹＥＳ）、ホストマイコン４４は前記サブピクチャーユニットＵの表示データを消去するように制御し、ステップＳ６に戻る（ステップＳ１０）。
【００４８】
本実施形態によれば、マニュアルサーチ動作から通常再生動作に移行する場合、それまでに通常再生したことによって、任意の再生開始時点がサブピクチャー記憶部５３にサブピクチャーユニットとして記憶した時点である場合、サブピクチャー記憶部５３に記憶したサブピクチャーユニットを用いることによって、サブピクチャーを確実に出力することができる。特に、ＤＶＤ１に記録されているデータを最初から通常再生させているときに、特殊再生動作が早戻し再生である場合は、任意の再生開始時点がそれまでに通常再生した時点となるので、ＤＶＤｌからサブピクチャーデータの読み出しをしなくても、サブピクチャー記憶部５３に記憶されているサブピクチャーユニットを用いることによって、マニュアルサーチ動作が終了してからサブピクチャーを確実に表示して再生するまでの時間を短縮することができる。
【００４９】
任意の再生開始時点がサブピクチャー記憶部５３にサブピクチャーユニットとして記憶していない時点であっても、任意の再生開始時点から所定期間遡ってサブピクチャーユニットを生成し、生成したサブピクチャーユニットをサブピクチャーデコーダ３９へ出力することができるので、マニュアルサーチ動作後に、字幕などのサブピクチャーを確実に表示することが可能である。
【００５０】
次に、前記サブピクチャーユニットを生成するに際して、再生開始時点から遡るべき「所定期間」について説明する。
【００５１】
字幕を動画と共に再生する代表的な動画として字幕付き映画がある。字幕付き映画は、ある一定の字幕を略一定間隔毎に更新しながら表示する。この字幕の更新間隔は、ほとんどの場合１５秒以内である。字幕を更新してから次の字幕の更新までの間隔を１シーンと仮定すると、サブピクチャーデコーダ３９は、ＤＶＤ１に記録された１シーン分のサブピクチャーデータ、すなわち新たな字幕を表示させようとする時点から１５秒前までのサブピクチャーデータを動画に同期して表示前にデコード処理することが必要である。
【００５２】
したがって、字幕付き映画を記録したＤＶＤについてマニュアルサーチを行った後に通常再生を開始した場合、サブピクチャー制御部５２により、再生開始時点から３０秒前までのサブピクチャーデータをサブピクチャー記憶部５３に記憶させておくことにより、再生開始時点がどの時点からであっても、常に１以上のサブピクチャーユニットを生成することができる。よって、再生開始時点がどの時点となっても、殆どの字幕付き映画の字幕を正確に表示することができる。
【００５３】
前記再生開始時点から遡って読み出す期間を３０秒より長い期間とすれば、１シーンの間隔が１５秒以上の字幕付き映画にも対応することができる。しかしながら、この再生開始時点から遡ってサブピクチャーデータを読み出す時間が長くなる。このためＤＶＤｌから読み込むサブピクチャーデータのデータ量が増大し、マニュアルサーチ動作を終了してから再生が開始されるまでの時間が長くなってしまう。したがって、前記期間は略３０秒とするのが好適である。
【００５４】
なお、前記期間を設定する時間設定部を設けて、該時間設定部により前記期間を任意に設定することができる。前記時間設定部は、例えば、３０秒、２０秒または１０秒のうちから任意の時間を選択して設定することにより、設定された時間の指示信号をサブピクチャー制御部５２に出力する．サブピクチャー制御部５２は、設定された時間の指示信号に応じて、再生開始時点から以前のサブピクチャーデータをＤＶＤｌから読み出す構成とする。このことにより、マニュアルサーチ動作が終了してからサブピクチャー制御部５２がＤＶＤｌからサブピクチャーデータの読み出しを完了するまでの時間を短縮することができる。
【００５５】
【発明の効果】
以上説明したように本発明によれば、特殊再生動作から通常再生動作に移行する際に、短時間で正確に字幕などのサブピクチャー信号を出力することができる光ディスク再生装置を提供することができる。
【図面の簡単な説明】
【図１】本発明の実施形態にかかる光ディスク再生装置を示す図である。
【図２】本発明の実施形態にかかる光ディスク再生装置の動作を示すフローチャートである。
【図３】ＤＶＤ上の物理的記録フォーマットを示す図である。
【図４】サブピクチャーユニット構成を示す図である。
【図５】従来の光ディスク再生装置の構成を示す図である。
【符号の説明】
１　　ＤＶＤ
３０　光ピックアップ
３１　アンプ
３２　イコライザ
３３　ＤＶＤ復調エラー訂正部
３４　ＤＥＭＵＸ
３５　ビデオバッファー
３６　サブピクチャーバッファー
３７　オーディオバッファー
３８　ビデオデコーダ
３９　サブピクチャーデコーダ
４０　オーディオデコーダ
４１　メモリーコントローラ
４２　メモリ
４３　ホストインターフェース
４４　ホストマイコン
４５　ソースデコーダ
４６　合成部
４７　ＮＴＳＣ／ＰＡＬエンコーダ
４８　Ｄ／Ａコンバータ
５０　操作部
５２　サブピクチャー制御部
５３　サブピクチャー記憶部
【図１】
2004118980.tif 000003
【図２】
2004118980.tif 000004
【図３】
2004118980.tif 000005
【図４】
2004118980.tif 000006
【図５】
2004118980.tif 000007